(57)【要約】【課題】自然換気による吸湿および脱臭を可能にする吸湿脱臭構造体を提供すること。【解決手段】吸湿脱臭効果を有する壁体２と、壁体２の屋外側に配設し、壁体２との間に空気層７を形成するガラス３と、ガラス３の上方および下方に配設し、屋外と空気層とを連通する屋外開口部８を画成するとともに、内部に室内と空気層とを連通する通気路４ｃを形成した通気枠４と、通気枠４と協働し、室内と空気層７とが連通する吸湿脱臭状態と、屋外と空気層７とが連通する再生状態と、空気層７を閉鎖する閉鎖状態とを択一的に設定可能としたスライド枠５とを備えるようにした。【選択図】        図１
2006320635.tif 000002
【特許請求の範囲】
【請求項１】
吸湿脱臭効果を有する壁体と、
壁体の屋外側に配設し、壁体との間に空気層を形成する透明体と、
透明体の上方および下方に配設し、屋外と空気層とを連通する開口部を画成するとともに、内部に室内と空気層とを連通する通気路を形成した通気枠と、
前記通気枠と協働し、室内と空気層とが連通する吸湿脱臭状態と、屋外と空気層とが連通する再生状態と、空気層を閉鎖する閉鎖状態とを択一的に設定可能としたスライド枠と
を備えたことを特徴とする吸湿脱臭構造体。
【請求項２】
前記壁体の室内側に湿気透過性の内装材を付設したことを特徴とする請求項１に記載の吸湿脱臭構造体。
【発明の詳細な説明】
【技術分野】
【０００１】
本発明は、吸湿脱臭構造体に関し、特に建築物の壁の一部をなす吸湿脱臭構造体に関するものである。
【背景技術】
【０００２】
従来から、室内環境を改善するために、室内の空気から水分（湿気）および臭いを吸着して室内環境を改善する脱臭装置（空気清浄機を含む）が知られている。
【０００３】
たとえば、図４に示す脱臭装置１０１は、内部に吸気口１０２と排気口１０３とを有する循環経路１０４を備えている。循環経路１０４の吸気口１０２近傍には、空気中の粉塵を集塵するための集塵手段１０５が配設してあり、循環経路１０４の排気口１０３近傍には、光照射手段１０６、複合触媒体１０７、加熱手段１０８を上流から順に配設してある。また、循環経路１０４の途中には、空気を強制的に循環させるファン１０９が設けてある。この脱臭装置１０１によれば、ファン１０９を作動させると、空気が吸気口１０２から吸い込まれ、空気中の粉塵は集塵手段１０５を通過する間に捕捉される。そして、集塵手段１０５を通過した空気は、光照射手段１０６により光が照射されている複合触媒体１０７と接触しながら通過して排気口１０３から排気される。このとき、複合触媒体１０７に接触した汚染ガスの一部が光触媒反応により分解されるとともに、複合触媒体１０７の吸着材料に汚染ガスの一部が吸着される。この吸着した汚染ガスは光触媒反応により分解される。また、この脱臭装置１０１の稼働中に所定時間ごとに、加熱手段１０８を短時間作動させ、複合触媒体に残留する有機物等の汚染物を熱触媒作用で分解する（たとえば、特許文献１）。
【０００４】
また、図５に示す空気清浄機２０１は、空気の吸気口２０２と空気の排気口２０３とを有する循環経路の吸気口２０２側にプレフィルタ２０４を配設するとともに、上流側から、イオン化電極２０５、紫外線ランプ２０６、集塵電極２０７が配設してある。また、空気の排気口２０３側にはファン２０８が配設してある。この空気清浄機２０１によれば、ファン２０８を作動させると、空気が吸気口２０２から吸い込まれ、イオン化電極２０５で浮遊粒子が帯電される。そして、紫外線ランプ２０６で光分解触媒物質は、空気中の酸素で活性化され、臭いの元となっている物質は酸化脱臭される。その後、帯電した浮遊粒子は集塵電極２０７で捕捉される（たとえば、特許文献２）。
【０００５】
【特許文献１】特開２０００−２２５３２１号公報
【特許文献２】特開平１０−３２８５７５号公報
【発明の開示】
【発明が解決しようとする課題】
【０００６】
しかしながら、これらの脱臭装置あるいは空気清浄機は、強制換気により吸湿および脱臭をするために、電気エネルギーを用いて稼働しており、省エネルギー性に課題を有していた。
【０００７】
本発明は、上記に鑑みてなされたものであって、自然換気による吸湿および脱臭を可能にする吸湿脱臭構造体を提供することを目的とする。
【課題を解決するための手段】
【０００８】
上述した課題を解決し、目的を達成するために、本発明は、吸湿脱臭効果を有する壁体と、壁体の屋外側に配設し、壁体との間に空気層を形成する透明体と、透明体の上方および下方に配設し、屋外と空気層とを連通する開口部を画成するとともに、内部に室内と空気層とを連通する通気路を形成した通気枠と、前記通気枠と協働し、室内と空気層とが連通する吸湿脱臭状態と、屋外と空気層とが連通する再生状態と、空気層を閉鎖する閉鎖状態とを択一的に設定可能としたスライド枠とを備えたことを特徴とする。
【０００９】
また、本発明は、前記壁体の室内側に湿気透過性の内装材を付設したことを特徴とする。
【発明の効果】
【００１０】
本発明にかかる吸湿脱臭構造体は、吸湿脱臭状態に設定した場合には、室内と空気層とが連通するとともに空気層が温められることにより、室内側の空気が循環し、壁体が水分（湿気）と臭いとを吸着するので、自然換気による吸湿および脱臭が可能となる。一方、再生状態に設定した場合には、屋外と空気層とが連通するとともに空気層が温められることにより、屋外側の空気が循環し、壁体が吸着した水分を放出するとともに、屋外から照射された紫外線により壁体が再生するので、自然エネルギーによる壁体の再生が可能となる。他方、閉鎖状態に設定した場合には、空気層を閉鎖することにより、室内と屋外の温度差が大きくても結露することがない。
【００１１】
また、本発明にかかる吸湿脱臭構造体は、壁体の室内側に湿気透過性の内装材を付設したので、内装材を介して壁体が室内の空気から水分（湿気）と臭いとを吸着できる。
【発明を実施するための最良の形態】
【００１２】
以下に、本発明の実施例にかかる吸湿脱臭構造体を図面に基づいて詳細に説明する。なお、この実施例によりこの発明が限定されるものではない。
【実施例】
【００１３】
図１〜図３は、本発明の実施例にかかる吸湿脱臭構造体を示す断面図であって、図１は吸湿脱臭状態を示す断面図、図２は再生状態を示す断面図、図３は閉鎖状態を示す断面図である。
【００１４】
本発明の実施例にかかる吸湿脱臭構造体１は、建物の壁の一部をなすものであり、図１〜図３に示すように、壁体２、透明体３、通気枠４およびスライド枠５を備えている。
【００１５】
壁体２は、図１〜図３において紙面手前側から紙面奥方に延在した板状体であり、壁体２の側部において建物の壁に固定してある。壁体２は、吸湿脱臭効果を有するものであり、酸化チタンと活性炭とを複合した酸化チタン−活性炭を原材料とするものである。酸化チタンは、紫外線を照射することに再生可能であり、活性炭は乾燥により再生可能である。
【００１６】
壁体２の室内側には、内装材６が付設してある。内装材６は、図１〜図３において紙面手前側から紙面奥方に延在した板状体であり、湿気透過性を有している。したがって、壁体２は、内装材６を透過した室内の空気から水分（湿気）および臭いを吸着することが可能である。
【００１７】
壁体２の屋外側には、所定の間隙を有して透明体３が配設してある。透明体３は、図１〜図３において紙面手前側から紙面奥側に延在した板状体であり、壁体２と同様に、透明体３の側部において建物に固定してある。そして、壁体２と透明体３との間に空気層７を形成する。透明体３は、たとえば、ガラスであり、太陽光を透過し、紫外線を上述した壁体２に照射可能である。そして、壁体２と透明体３との間に形成した空気層７は、温室効果により、温度が上昇可能である。
【００１８】
透明体３、壁体２および内装材６の上方と下方とには、通気枠４が配設してあり、透明体３の上方と下方において、屋外と空気層７とを連通する屋外開口部８（図２参照）を画成し、内装材６の上方と下方において、室内と空気層７とを連通する室内開口部９を画成することになる。通気枠４は、図１〜図３において紙面手前側から紙面奥側に延在した箱状体であり、壁体２および透明体３と対向する面（上方の通気枠４の下面、下方の通気枠４の上面）には、壁体２と透明体３との間に形成される間隙（空気層７）と対向する空気層流通口４ａと、壁体２の右側縁部と対向する室内空気流通口４ｂとが形成してある。空気層流通口４ａと室内空気流通口４ｂとは、通気枠４の内部に形成された通気路４ｃにより連通しており、空気層７の空気は、空気層流通口４ａ、通気路４ｃ、室内空気流通口４ｂを経由して、室内の空気と流通可能である。
【００１９】
壁体２、透明体３および内装材６の上端面と上方に配設した通気枠４との間、壁体２、透明体３および内装材６の下端面と下方に配設した通気枠４との間には、それぞれスライド枠５がスライド可能に配設してある。スライド枠５は、図１〜図３において紙面奥方に延在する前縁部５ａと後縁部５ｂとを有する枠体である。
【００２０】
図１に示すように、スライド枠５が前進位置にある場合には、前縁部５ａが屋外開口部８を閉塞するとともに、通気枠４の空気層流通口４ａ、室内空気流通口４ｂおよび室内開口部９を開放し、空気層７の空気と室内の空気とが入れ換え可能となる（吸湿脱臭状態）。
【００２１】
図２に示すように、スライド枠５が後退位置にある場合には、屋外開口部８、通気枠４の空気層流通口４ａおよび室内空気流通口４ｂを開放するとともに、後縁部５ｂが室内開口部９を閉塞し、空気層７の空気と屋外の空気とが入れ換え可能となる（再生状態）。
【００２２】
図３に示すように、スライド枠５が中立位置にある場合には、前縁部５ａが壁体２と透明体３との間に形成された間隙および通気枠４の空気層流通口４ａを閉鎖するとともに、後縁部５ｂが通気枠４の室内空気流通口４ｂを閉鎖し、空気層７の空気の入れ換えを阻止することになる（閉鎖状態）。
【００２３】
スライド枠５が吸湿脱臭状態にある場合には、上述したように、屋外開口部８がスライド枠５の前縁部５ａにより閉塞されるとともに、通気枠４の空気層流通口４ａ、室内空気流通口４ｂおよび室内開口部９が開放されるので、空気層７と室内とが挿通している。この吸湿脱臭状態において透明体３に太陽光が照射されると、温室効果により空気層７の温度が上昇することになる。この結果、空気層７の空気は、上方に配設したスライド枠５、通気枠４、室内開口部９を介して、上部から排出され、下方に配設した室内開口部９、通気枠４、スライド枠５を介して、下部から新しい空気が流入することになる。この空気の循環により、空気層７をなす空気は入れ換えられ、壁体２による室内の空気の吸湿および脱臭が進行することになる。
【００２４】
スライド枠５が再生状態にある場合には、上述したように、屋外開口部８、通気枠４の空気層流通口４ａおよび室内空気流通口４ｂが開放されるとともに、室内開口部９がスライド枠５の後縁部５ｂにより閉塞されるので、空気層７と屋外とが挿通している。この再生状態において透明体３に太陽光が照射されると、太陽光の紫外線が透明体３を透過して壁体２に到達するともに、温室効果により空気層７の温度が上昇することになる。この結果、壁体２を構成する酸化チタン−活性炭の酸化チタンは紫外線により再生される。また、空気層７の空気は上方に画成された屋外開口部８から排出され、下方に画成された屋外開口部８から新しい空気が流入することになる。この空気の循環により空気層をなす空気は入れ換えられ、壁体２を構成する酸化チタン−活性炭の活性炭は乾燥し、再生することになる。
【００２５】
スライド枠５が閉鎖状態にある場合には、上述したように、前縁部５ａにより壁体２と透明体３との間に形成された間隙および通気枠４の空気層流通口４ａが閉鎖されるとともに、後縁部５ｂにより通気枠４の室内空気流通口４ｂが閉鎖されるので、空気層７を閉鎖することになる。この結果、屋外の温度と室内の温度差が大きい場合であっても、透明体３の室内側への結露を防止することになる。
【００２６】
上述した吸湿脱臭構造体１は、吸湿脱臭状態に設定した場合には、室内と空気層７とが連通するとともに空気層７が温められることにより、室内側の空気が循環し、壁体２が水分（湿気）と臭いとを吸着するので、自然換気による吸湿および脱臭が可能となる。一方、再生状態に設定した場合には、屋外と空気層とが連通するとともに空気層が温められることにより、屋外側の空気が循環し、壁体２が吸着した水分を放出するとともに、屋外から照射された紫外線により壁体２が再生するので、自然エネルギーによる壁体２の再生が可能となる。他方、閉鎖状態に設定した場合には、空気層７を閉鎖することにより、室内と屋外の温度差が大きくても結露することがない。
【００２７】
また、吸湿脱臭構造体１は、壁体２の室内側に湿気透過性の内装材６を付設したので、内装材６を介して壁体２が室内側の空気から水分（湿気）と臭いとを吸着できる。
【００２８】
建物が高気密化され、壁体自体が空気を通さないことにもシックハウスの一因があると解されている。このようなシックハウスの問題を解消すべく、応急的に換気に関する法令が施行されたが、本来は壁体の建築材料そのものについても再考すべきである。たとえば、壁体が積極的に湿気および有害ガスを放散する健康的建物であることが好ましい。このため、上述した実施例のように、建物の壁の一部を吸湿脱臭構造体１とすることは効果的である。しかも、この吸湿脱臭構造体１は、電気等のエネルギーを消費するものではないので、省エネルギーを実現することができる。
【産業上の利用可能性】
【００２９】
以上のように、本発明にかかる吸湿脱臭構造体は、室内の空気から水分および臭いを吸着する吸湿脱臭構造体に有用であり、特に、建物の壁の一部をなす吸湿脱臭構造体に適している。
【図面の簡単な説明】
【００３０】
【図１】本発明の実施例にかかる吸湿脱臭構造体の吸湿脱臭状態を示す断面図である。
【図２】本発明の実施例にかかる吸湿脱臭構造体の再生状態を示す断面図である。
【図３】本発明の実施例にかかる吸湿脱臭構造体の閉鎖状態を示す断面図である。
【図４】背景技術にかかる脱臭装置を説明する縦断断面図である。
【図５】他の背景技術にかかる空気清浄機を説明する縦断面図である。
【符号の説明】
【００３１】
１    吸湿脱臭構造体
２    壁体
３    透明体
４    通気枠
４ａ    空気層流通口
４ｂ    室内空気流通口
４ｃ    通気路
５    スライド枠
５ａ    前縁部
５ｂ    後縁部
６    内装材
７    空気層
８    屋外開口部
９    室内開口部
【図１】
2006320635.tif 000003
【図２】
2006320635.tif 000004
【図３】
2006320635.tif 000005
【図４】
2006320635.tif 000006
【図５】
2006320635.tif 000007